(57)【要約】      （修正有）【課題】自然界のアワビが棲れ場として安全な環境で、理想的な繁殖のために必要な生息密度で集めて繁殖させアワビ資源を増やすことができる、アワビ保育礁を提供する。【解決手段】窓部２２を側部に有する箱体１２と、箱体１２の内部に設けられ、窓部２２を通して箱体１２の内部に入ってくる光を遮蔽して暗場所を形成する遮光板１４とを有し、箱体１２は上部に開口部１６を有する箱本体１８と、開口部１６を覆う蓋体とからなる。箱体１２の寸法はアワビの成貝が２００個体程度が居住できるものであり、窓部２２はアワビが生きていくために必要な暗さと水流が確保でき、しかもアワビを捕食するタコが箱体内からアワビを搬出できない間隔の隙間からなる。【選択図】図１
0003162652.tif 000002
【実用新案登録請求の範囲】
【請求項１】
箱体と、該箱体の内部に設けられた複数の遮光板とを備え、該箱体は上部に開口部を有する箱本体と該開口部を覆う蓋体とからなり、該箱本体は各側部に貫通状態の窓部を各々有し、該各遮光板は該各窓部から入ってくる光を遮って裏側に暗所を形成するように該各窓部に対向した状態で各々立設されていることを特徴とするアワビ保育礁。
【請求項２】
前記各遮光板が交差し、該各遮光板の該交差している部分が該箱本体の中央付近に位置していることを特徴とする請求項１に記載のアワビ保育礁。
【請求項３】
前記遮光板には海水の流れを可能にする複数のスリットが貫通形成され、該スリットは前記窓部から入ってきた外の光を通さないように該窓部の方向に対して角度を有していることを特徴とする請求項１又は２に記載のアワビ保育礁。
【請求項４】
前記窓部の高さｈの上限が前記箱体の内部に住んでいるアワビの高さの１．５〜３倍であることを特徴とする請求項１に記載のアワビ保育礁。
【請求項５】
前記窓部が略矩形であり、幅ｗ×高さｈが、ｗ＝０．３〜０．５ｍ、ｈ＝０．０８〜０．１２ｍであることを特徴とする請求項４に記載のアワビ保育礁。
【請求項６】
前記窓部が前記箱体の側部の下方に設けられていることを特徴とする請求項１に記載のアワビ保育礁。
【請求項７】
前記窓部の外側の下縁が前記箱本体の底面より下方にあり、前記窓部の下縁部が前記箱体の外から前記箱本体の底面に向けてスロープになっていることを特徴とする請求項６に記載のアワビ保育礁。
【請求項８】
前記蓋体が貫通状態の天窓を有していることを特徴とする請求項１に記載のアワビ保育礁。
【請求項９】
前記箱体の内容積が０．３〜１．２ｍ３であることを特徴とする請求項１に記載のアワビ保育礁。
【請求項１０】
前記箱体が略矩形のコンクリート製の箱体からなり、高さＨ×幅Ｗ×奥行Ｄが、Ｈ＝０．３〜０．６ｍ、Ｗ＝０．８〜１．２ｍ、Ｄ＝０．８〜１．２ｍであることを特徴とする請求項１に記載のアワビ保育礁。
【請求項１１】
前記箱体の上部に海藻育成用ネットが取り付けられていることを特徴とする請求項１に記載のアワビ保育礁。
【請求項１２】
２価の鉄を溶出させる鉄材を備えていることを特徴とする請求項１に記載のアワビ保育礁。
【考案の詳細な説明】
【技術分野】
【０００１】
本考案は、自然界のアワビ類の内、行動力のあるクロアワビ、エゾアワビを箱体内に誘導して住み着かせ、健全に増殖させるシェルタータイプのアワビ保育礁に関するものである。
【背景技術】
【０００２】
岩礁や大転石の陰になる場所や隙間が多数存在している環境では貝が天敵から隠れることが容易なので、これら岩礁や人工構築物は漁礁とよばれ、その周辺で漁場が形成されている。このように魚や貝が集まる習性を利用して、漁業資源を増やすために、海中にコンクリートブロック等を投入したり、人工的に海中に漁礁を形成することがよく行われている。
【０００３】
この人工的に形成した漁礁（人工漁礁）は魚や貝に隠れる場所を新たに提供するので、人工漁礁の周囲には周りの海から多くの魚や貝が集まってくる。そして、これらの魚や貝から生まれた稚魚、稚貝は人工漁礁の陰や隙間に守られながら成長する。このため、人工漁礁の周囲は次第に魚や貝が豊富になり、豊かな漁場を作ることができる。
【０００４】
クロアワビは、アワビ類の中で最も高価な扱いがされる種であるのでアワビ漁業の中心となっている。本種は、日周期活動を持ち、夜間に餌探活動を行い、昼間は暗所から動かない習性がある。（例：クロアワビの北方系亜種のエゾアワビ漁場では、夜間は岩盤・転石の上に木の葉を敷き詰めたように出現するが、昼間は岩石上にはアワビの姿はなく、殆どの個体は転石下に生息している。密漁者が夜間に操業する所以である。）
【０００５】
クロアワビは、隠れ場所、すなわちタコやイセエビなどの大型の天敵生物が入って来ることができないような隙間の多い岩礁や人工漁礁では自然に増殖し、漁場の生産性が高いが、海底に隠れ場所が少ない場合はタコなどの天敵によって資源が増えないという問題があった。
【０００６】
クロアワビやエゾアワビの産卵期の行動を見ると、産卵期に近づくに従って各個体は産卵するまでは隠れ場所に集中していることが知られている。これは、各個体が近接して産卵効果を高める行動を取り、「雄個体が先に放精して高濃度の精子海水環境を作り、そこにメスが放卵し、受精させる」という産卵生態を持つためである。
【０００７】
ここで、卵が効率よく授精するためにはクロアワビの卵１個に対して、海水１ｃｃ当たり１０万〜３０万個の濃度の精子が必要であり、この精子濃度を維持するためには、アワビの成貝の個体間の距離が相互に０．５ｍ以内になっている必要がある。このように、授精が健全に行なわれるためには、産卵期に多くの成貝が集まる必要がある。
【０００８】
ところが、クロアワビが隠れている隙間の空間が少ない場合、多くの成貝が集まることができないので、雌のアワビが産卵しても、精子の濃度が低く、卵の授精率が悪くなるため、せっかく産まれた卵が孵化せず、クロアワビの増殖がうまくいかないという問題があった。
【０００９】
また、クロアワビが健全な遺伝子を継承させ、遺伝子の多様性を高めるためには、地先の資源の再生産に係るアワビの１つのコロニーの成貝の数が２００個体程度必要であるという経験則がある。成貝の数が少ないと、卵が授精しても、近親交配になり易く、遺伝的に不健全な弱い子孫になる可能性が高く、自然界で淘汰され易く、アワビの資源がなかなか増えないという問題があった。
【先行技術文献】
【特許文献】
【００１０】
【特許文献１】特許第３５７７６３９号公報
【特許文献２】特開２００５−３４８６５９号公報
【特許文献３】特開２００８−４８６５７号公報
【特許文献４】特開２０００−２８７５７９号公報
【考案の概要】
【考案が解決しようとする課題】
【００１１】
本考案が解決しようとする問題点は、天然の漁礁あるいは従来の人工漁礁では、アワビが天敵から完全には身を守ることができず、また理想的な繁殖のために必要な生息密度でアワビが集まることが困難で、アワビ資源が自然には増え難い点である。
【課題を解決するための手段】
【００１２】
本考案は、アワビを襲うタコの生息に適さない形状の箱体で、窓部は側部に２以上有する。該箱体の内部に設けられ、該窓部を通して箱体の内部に入ってくる光を遮蔽して暗場所を形成するスリットを持った遮光板状物とを有し、該箱体は上部に開口部を有する箱本体と該開口部を覆う蓋体とからなることを最も主要な特徴とする。
【００１３】
ここで、前記箱体は狭義の矩形の箱体のみならず、囲まれた空間が形成されるものであれば、樽型その他如何なる形状のものでもよい。前記箱体の寸法はアワビの成貝が２００個体程度が居住できるもの、内容積で、０．３〜１．２ｍ３程度のもの、矩形の箱体であれば、高さＨ×幅Ｗ×奥行Ｄが、Ｈ＝０．３〜０．６ｍ、Ｗ＝０．８〜１．２ｍ、Ｄ＝０．８〜１．２ｍ程度のものが好ましい。前記箱体の壁の厚さｔは、強度を安定させるために、ｔ＝０．０８〜０．１２ｍ程度のものが好ましい。
【００１４】
また、前記窓部はアワビが生きていくために必要な暗さと水流が確保できる隙間で、タコなどの天敵が入ってきて、アワビを捕まえて該窓部から搬出することができない高さの隙間である必要がある。タコのアワビに対する捕食行動から考えると、前記窓部の高さの上限はアワビの高さを少々超えた程度の高さ（アワビの高さの１．５〜３倍程度）が好ましい。窓部の幅ｗ×高さｈは、具体的な数値としては、ｗ＝０．３〜０．５ｍ、ｈ＝０．０８〜０．１２ｍ程度の隙間が好ましい。前記窓部は前記箱体内に海水の流れを安定させるために、前記箱体の各側部に１個ずつ、合計４個設けてもよい。
【００１５】
また、前記窓部の下縁の高さは、前記箱体の底面の高さと略同一になっているか、前記箱体の底面の高さより低くなっているのが好ましい。前記窓部の下縁の高さが前記箱体の底面の高さより低くなっている場合は、前記窓部の下縁部を前記箱体の外から内に向けて高くなるようなスロープとし、外部で生息していたアワビがこのアワビ礁内に入り易いようにするのが好ましい。
【００１６】
前記遮光板には反対側に通る複数のスリットを設けて、前記箱体内の海水がよどむことなく該遮光板を通って移動できるようにするのが好ましい。この場合、該スリットは該窓部の方向に対して角度を有するように設けて、光の直接的な透過が無いようにするのが好ましい。
【００１７】
前記箱本体と前記蓋体は連結手段によって相互に連結固定できるようにして、ウネリや波浪などで前記箱本体の開口部から前記蓋体が簡単に外れないようにするのが好ましい。また、前記箱本体と前記蓋体とを鍵で連結して、密漁を防止できるようにしてもよい。
【００１８】
前記箱本体の開口部の縁に凹部又は凸部を形成し、前記蓋体に該凹部又は凸部とかみ合う凸部又は凹部を形成し、前記箱本体の開口部から前記蓋体がずれないようにしてもよい。また、前記蓋体は１個の箱体毎に設けるのみならず、２個の箱体に1枚の蓋体を設けても良いし、３個の箱体の全体を被うように１枚の蓋体を設けるようにしてもよい。
【００１９】
前記箱体はコンクリートで形成して重量を高め、強い波浪の際などに生じた強い海流に対して移動し難くしておくのが好ましい。また、コンクリートに鉄などの高比重物を混ぜて重量を更に高め、強い海流に対して更に移動し難くしたり、前記箱体の中に２価の鉄イオンを溶出させる鉄材を入れてその鉄キレート物質によって、藻類の胞子・卵の着底率を高め、着底した海藻の成長を促進させるようにしてもよい。鉄分によって前記箱体のコンクリート面の色彩を暗褐色にし、アワビ類の集中性を促進するようにしてもよい。
【００２０】
また、前記箱体の外部に連結部を設け、前記箱体を相互に連結可能とし、複数の箱体を複雑な海底に沿って密集状態で設置できるようにし、前記箱体を海中で安定化させ、強い潮流で簡単には移動もしくは埋没しないようにしてもよい。
【００２１】
前記箱体に海藻育成用ネットもしくはネット籠を取り付けて、海藻類の遊走子・卵等が海藻育成用ネットおよびネット籠に着生してアワビの餌となる海藻が育つようにし、アワビ礁内にアワビの餌となる海藻の生産が行えるようにしてもよい。前記遮光板にミネラル供給用ボトルを取り付け、鉄分によって藻類の胞子・卵の着底率を高め、海藻が良く育つようにしてもよい。ネットには海藻の種付をしたロープを取付けて、ネット上およびネット籠内を大型藻類の場の拠点としてもよい。
【考案の効果】
【００２２】
本考案のアワビ保育礁は、各遮光板が各窓部から入ってくる光を遮って裏側に暗所を形成するように各窓部に対向した状態で各々立設されているので、如何なる方向から太陽の光が差しても、アワビが好む暗くて安全な場所を常に提供することができる。
【００２３】
すなわち、本考案のアワビ保育礁は、内部の空間が箱体で囲まれ、しかも箱体の内部には更に暗環境形成手段が設けられているので、暗環境が安定して得られ、昼間は暗所に潜むというアワビの習性に対応したアワビにとって極めて好適な居住環境が形成され、従って、周りの海からアワビが箱体の内部に入ってきて定着するという利点がある。
【００２４】
また、本考案のアワビ保育礁は、外の海とほぼ隔絶された箱体内に広い空間を形成しているので、多数の成貝を箱体内で安全に集中させて生活させることができ、多数の雌雄個体を、産卵場所の精子濃度を高くして産まれた卵の授精率を良好にさせると同時に遺伝子の多様性を高めることができる。従って、アワビの産卵量および卵の孵化率を高めることができるという利点がある。
【００２５】
また、本考案のアワビ保育礁は、外の海とほぼ隔絶された箱体内に広い空間を形成しているので、多数の成貝を箱体内で安全に集中させて生活させることができ、多数の遺伝子の異なる雌雄が集まるので、遺伝子的に異なるアワビを交配させることができ、従って、遺伝的に健全なアワビを増殖させることができるという利点がある。
【００２６】
また、本考案のアワビ保育礁は、箱体の内部と外の海とが狭い間隔の隙間でしかつながっていないこととコンクリート基盤であるためにタコの棲れ場となりにくい。箱体の内部には外部から大型のタコやイセエビ類などの天敵が侵入少なくなることから、箱体の内部にいるアワビは安全に育つことができ、従って、アワビをタコなどの天敵に捕食させることなく安全に育成、繁殖させることができるという利点がある。
【００２７】
特に、窓部の高さｈの上限が前記箱体の内部に住んでいるアワビの高さの１．５〜３倍の場合は、箱体の内部に住んでいるアワビが天敵のタコに捕まえられ、拉致されなくて済み、アワビが安心して生きていくことができるという利点がある。
【００２８】
また、本考案のアワビ保育礁は、箱体に窓が２以上設けられているので、窓を通して箱体内に外の海水が容易に流入し、餌となる海藻類がこの流入した外の海水とともに箱体内に流れ込むので、箱体内のアワビがこの海藻類を食べて箱体内で定着して生きていくことができるという利点がある。
【００２９】
また、本考案のアワビ保育礁は、窓部が箱体の側部の下方に設けられているので、箱体の周囲に棲息しているアワビが箱体の内部に入り込み易くなる。特に、窓部の下縁部が箱体の外から箱本体の底面に向けてスロープになっている場合は、箱体の周囲に棲息しているアワビが箱体の内部により入り込み易くなるという利点がある。
【００３０】
また、本考案のアワビ保育礁は、各遮光板の交差している部分が箱本体の中央付近に位置している場合、如何なる方向から太陽の光が差しても、アワビが好む暗くて安全な場所を同じような広さで常に提供することができるという利点がある。
【００３１】
また、本考案のアワビ保育礁は、遮光板に海水の流れを可能にする複数のスリットが貫通形成され、スリットは前記窓部から入ってきた外の光を通さないように窓部の方向に対して角度を有しているので、アワビの周囲の海水の循環が良好になり、アワビの生活環境が良好になるので、アワビを健全に育成することがきるという利点がある。
【００３２】
また、本考案のアワビ保育礁は、蓋と本体を蓋の天窓を通してワイヤー錠で連結できるようにした場合、アワビの密漁を防ぐことができるという利点がある。
【００３３】
また、本考案に係るアワビ保育礁は、１個の重量が比較的小型軽量であるため、小型漁船のユニックで海面に持ち上げ、必要に応じて移送することができるので、漁業者が海底の複雑な地形に沿って容易に設置することができ、また、漁業者が効果がある場所に容易に設置し、管理することができるという利点がある。特に、蓋体が貫通状態の天窓を有してい場合は、天窓にユニックのフックを引っかけて箱体をユニックで所望の場所に容易に運搬・設置することができるという利点がある。
【図面の簡単な説明】
【００３４】
【図１】図１は本考案に係るアワビ保育礁の例１の切欠斜視図である。
【図２】図２は図１のアワビ保育礁の外観斜視図である。
【図３】図３は図１のアワビ保育礁の連結部の説明図である。
【図４】図４は本考案に係るアワビ保育礁の例２の説明図である。
【図５】図５は本考案に係るアワビ保育礁の例２の箱本体の縦断面図である。
【図６】図６は本考案に係るアワビ保育礁の例２の箱本体の側面図である。
【図７】図７は本考案に係るアワビ保育礁の例２の箱本体の平面図である。
【図８】図８は本考案に係るアワビ保育礁の例２の箱本体の平断面図である。
【図９】図９は本考案に係るアワビ保育礁の例３の説明図である。
【図１０】図１０は本考案に係るアワビ保育礁の例４の説明図である。
【図１１】図１１は本考案に係るアワビ保育礁の例５の説明図である。
【図１２】図１２は海藻育成用ネットもしくはネット籠を取り付けた本考案に係るアワビ保育礁の斜視図である。
【考案を実施するための形態】
【００３５】
自然界のアワビを理想的な繁殖のために必要な生息密度で集め、安全な環境で繁殖させ、アワビ資源を増やすという目的を、アワビが暗所を好むという本能を満足させる安全な構造のアワビ保育礁を用いることにより実現した。
【実施例１】
【００３６】
図１は本考案に係るアワビ保育礁の部分切り欠き斜視図、図２は図１のアワビ保育礁の外観斜視図である。これらの図において、１０はアワビ保育礁であり、アワビ保育礁１０は、箱体１２と、箱体１２の内部の中央付近に設けられた遮光板１４とからなる。箱体１２は上部に開口部１６を有する箱本体１８と開口部１６を覆う蓋体２０とからなる。
【００３７】
箱本体１８は各側部１８ａに窓部２２を有する。窓部２２はアワビが生きていくために必要な暗さと水流が確保できるが、タコが生息に選ぶ砂利、転石が流入しない間隔の隙間、例えば、幅ｗ×高さｈ、ｗ＝０．３〜０．５ｍ、ｈ＝０．０８〜０．１２ｍ程度の隙間からなる。窓部２２は箱本体１８の内部に海水の流れを作るために少なくとも２個が必要であるが、箱本体１８の各側部１８ａに１個ずつ、合計４個設けてもよい。窓部２２の下縁の高さは、箱本体１８の底部１８ｂの上面と略同一の高さになっている。
【００３８】
箱体１２は狭義の矩形の箱体のみならず、囲まれた空間が形成されるものであれば、円形もしくは多角形状などの形状のものでもよい。箱体１２の寸法はアワビの成貝が２００個体程度が居住できるもの、内容積で、０．３〜１．２ｍ３程度のもの、矩形の箱体であれば、高さＨ×幅Ｗ×奥行Ｄが、Ｈ＝０．３〜０．６ｍ、Ｗ＝０．８〜１．２ｍ、Ｄ＝０．８〜１．２ｍ程度のものが好ましい。箱体１２の壁の厚さｔは、ｔ＝０．０８〜０．１２ｍ程度のものが好ましい。
【００３９】
遮光板１４は、窓部２２を通して箱体１２の内部に入ってくる光を遮蔽して暗場所を形成するものである。遮光板１４は２枚の板状体を十文字に交差させたものからなり、いずれかの窓から光が入ってきても、どこかに暗所が形成されるようになっている。板状体は傾斜板を高さ方向に微少間隔をおいて連続的に積み上げた状態のものからなり、遮光板には裏面に達するスリットが形成され、箱体１２内の海水がこのスリットを通ってある程度移動できるようになっている。スリットは遮光のために窓部２２の方向に対して角度を有するように設けられ、光がスリットを通して直接的に透過できないようになっている。
【００４０】
箱本体１８の上縁にはボルト２４ａが垂直に埋め込まれ、蓋体２０の周縁にはボルト２４ａを貫通させる貫通穴が形成され、箱本体１８の開口部１６に載せられた蓋体２０はボルト２４ａとナット２４ｂにより連結固定できるようになっている。蓋体２０の中央付近には天窓３２が形成されている。天窓３２もタコなどの天敵が入ってくることができない間隔の隙間からなり、他漁場への移送の際のフック取付口およびワイヤーによる締め付け錠の取り付け口とすることができる。蓋体２０は箱本体１８にワイヤー錠（図示せず）で連結して、密漁を防止できるようにしてもよい。
【００４１】
図３は図１のアワビ保育礁の連結部の説明図である。箱体１２の外部には、図３に示すように、連結部２６ａを設け、連結部２６ａを上下に重ねてピン２６ｂ通して連結し、複数の箱体１２を複雑な海底に沿って密集状態で設置できるようにし、箱体１２を海中で安定化させ、嵐の際などに生じた強い波浪によっても簡単には移動しないようにしてもよい。
【００４２】
図４は本考案に係るアワビ保育礁の例２の説明図、図５は本考案に係るアワビ保育礁の例２の箱本体の縦断面図、図６は本考案に係るアワビ保育礁の例２の箱本体の側面図、図７は本考案に係るアワビ保育礁の例２の箱本体の平面図、図８は本考案に係るアワビ保育礁の例２の箱本体の平断面図である。
【００４３】
箱本体１８の開口部１６と蓋体２０は、図４に示すように、箱本体１８の開口部１６の縁に凸部を形成し、蓋体２０の周縁に該凸部とかみ合う凹部を形成し、箱本体１８の開口部１６から蓋体２０がずれないようにしてもよい。
【００４４】
窓部２２の下縁の高さは、箱本体１８の底部１８ｂの上面の高さと略同一になっていてもよいし、箱本体１８の底部１８ｂの上面の高さより低くなっていてもよい。窓部２２の下縁の高さが箱本体１８の底部１８ｂの上面の高さより低くなっている場合は、図５、図６に示すように、窓部２２の下縁部２２ａを箱体１２の外から内に向けて高くなるようなスロープとし、外部に生息していたアワビが箱体１２内に入り易いようにするのが好ましい。また、このスロープにより波浪などで箱体内に打ち入れられた砂利などが自然に出やすくなると期待できる。
【００４５】
図９は本考案に係るアワビ保育礁の例３の説明図である。箱本体１８の開口部１６と蓋体２０は、図９に示すように、箱本体１８の開口部１６の縁に凹部を形成し、蓋体２０の周縁に該凹部とかみ合う凸部を形成し、箱本体１８の開口部１６から蓋体２０がずれないようにしてもよい。
【００４６】
図１０は本考案に係るアワビ保育礁の例４の説明図、図１１は本考案に係るアワビ保育礁の例５の説明図である。本考案に係るアワビ保育礁は１個の箱体１２単独で構成される場合だけでなく、図１０、図１１に示すように、複数個の箱体１２を連結手段２８によって連結して構成しても良い。複数個の箱体１２を連結手段２８によって連結する場合、蓋体２０は一枚で構成してもよいし、箱体１２毎に構成しても良い。
【００４７】
図１２は海藻育成用ネットもしくは藻食魚類の食害を避けるためのネット籠を取り付けた本考案に係るアワビ保育礁の斜視図である（本図は育成用ネットのみ）。箱体１２の上には、図１２に示すように、海藻育成用ネット３０を取り付けて、海藻類の遁走子・卵等が海藻育成用ネット３０に着生してアワビの餌となる海藻が育つようにし、箱体１２内にアワビの餌となる海藻を箱体上で育成するようにしてもよい。海藻育成用ネット３０には海藻の苗を入れ込む技術を導入してもよい。また、遮光板１４にミネラル供給用ボトル（図示せず）を取り付け、鉄分によって藻類の胞子・卵の着底率を高め、海藻が良く育つようにしてもよい。
【００４８】
箱体１２はコンクリートで形成して重量を高め、嵐の際などに生じた強い波浪に対して移動し難くしておくのが好ましい。また、コンクリートに砂鉄を混ぜて重量を更に高め、嵐の際などに生じた強い波浪に対して更に移動し難くしたり、箱体１２の周囲の鉄イオンを増加させて、藻類の胞子・卵の着底率を高め、着底した海藻の成長を促進させるようにしてもよい。鉄分によって箱体１２のコンクリート面の色彩を暗褐色にし、アワビ類の集中性を促進するようにしてもよい。
【００４９】
次に、本考案に係るアワビ保育礁の機能及び利点について説明する。
【００５０】
まず、このアワビ保育礁は、内部の空間が箱体１２で囲まれ、しかも箱体１２の内部には更に遮光板１４が設けられているので、暗環境が安定して得られ、昼間は暗所に潜むというアワビの習性に対応したアワビにとって極めて好適な居住環境が形成され、従って、周囲の海からアワビが箱体１２の内部に入ってきて定着することになる。
【００５１】
また、このアワビ保育礁は、外の海とほぼ隔絶された箱体１２の内部に広い空間を形成しているので、多数のアワビ成貝を箱体１２の内部で安全に集中させて生活させることができ、産卵する雌のアワビのすぐ近くに雄のアワビを存在させることができ、産卵場所の精子濃度を高くして産まれた卵の授精率を良好にさせることができ、従って、産卵されたアワビの卵の孵化率が高まることになる。
【００５２】
また、このアワビ保育礁は、外の海とほぼ隔絶された箱体１２の内部に広い空間を形成しているので、多数のアワビ成貝を箱体１２の内部で安全に集中させて生活させることができ、産卵する雌のアワビのすぐ近くに遺伝子的に異なる雄のアワビを存在させることができ、遺伝子的に異なるアワビを交配させることができ、従って、遺伝的に健全なアワビを増殖させることになる。
【００５３】
また、このアワビ保育礁は、箱体１２の内部と外の海とが狭い間隔の隙間でしかつながっていないので、箱体１２の内部には外の海からタコなどの天敵が侵入できず、箱体１２の内部にいるアワビは安全に育つことができ、従って、アワビをタコなどの天敵に捕食させることなく安全に育成、繁殖させることになる。
【００５４】
また、このアワビ保育礁は、箱体１２に窓が２以上設けられているので、窓を通して箱体１２の内部に外の海水が容易に流入し、餌となる海藻類がこの流入した外の海水とともに箱体１２の内部に流れ込むので、箱体１２の内部のアワビがこの海藻類を食べて箱体１２の内部で定着して育つことも期待できる。
【００５５】
また、このアワビ保育礁は、箱本体１８に取り付けられた蓋体２０の天窓３２をヤイヤ錠などで連結できるようにした場合、アワビの密漁を防ぐことができる。また、１個が比較的小型軽量で、天窓にフックを挿入して小型漁船のユニックで巻き上げて移送することができるので、漁業者が海底の複雑な地形に沿って容易に設置することができ、また、漁業者が効果がある場所に容易に運んで設置することができる。
【産業上の利用可能性】
【００５６】
このアワビ保育礁は、アワビ以外の資源生物、例えばイセエビ等の生活スタイルを研究し、イセエビ等が安心して居住することができるに内部に多段式の棚構造のものを作り、イセエビ等を自然増殖させる用途にも適用特化させる工夫ができる。
【符号の説明】
【００５７】
１０  アワビ保育礁
１２  箱体
１４  遮光板
１６  開口部
１８  箱本体
１８ａ  側部
１８ｂ  底部
２０  蓋体
２２  窓部
２２ａ  下縁部
２４ａ  ボルト
２４ｂ  ナット
２６ａ  連結部
２６ｂ  ピン
２８  連結手段
３０  海藻育成用ネット
３２  天窓
【図１】
0003162652.tif 000003
【図２】
0003162652.tif 000004
【図３】
0003162652.tif 000005
【図４】
0003162652.tif 000006
【図５】
0003162652.tif 000007
【図６】
0003162652.tif 000008
【図７】
0003162652.tif 000009
【図８】
0003162652.tif 000010
【図９】
0003162652.tif 000011
【図１０】
0003162652.tif 000012
【図１１】
0003162652.tif 000013
【図１２】
0003162652.tif 000014